(57)【要約】  監視装置の実負荷テストが無用に試みられることを防止できるエレベーターのバッテリー診断装置を提供する。エレベーターのバッテリー診断装置は、エレベーターの監視装置のモードが通常モードからバッテリー劣化判定モードに切り替えられた際に、前記監視装置のバックアップ用の電源として設けられたバッテリーの状態を判定する判定部と、前記監視装置のモードがバッテリー劣化判定モードのときに前記判定部により前記バッテリーが劣化状態にないと判定された場合、前記バッテリーからの電力を利用して前記監視装置の実負荷テストを実施する制御部と、を備えた。
2019198234.tif 000002
【特許請求の範囲】
【請求項１】
エレベーターの監視装置のモードが通常モードからバッテリー劣化判定モードに切り替えられた際に、前記監視装置のバックアップ用の電源として設けられたバッテリーの状態を判定する判定部と、
前記監視装置のモードがバッテリー劣化判定モードのときに前記判定部により前記バッテリーが劣化状態にないと判定された場合、前記バッテリーからの電力を利用して前記監視装置の実負荷テストを実施する制御部と、
を備えたエレベーターのバッテリー診断装置。
【請求項２】
前記制御部は、前記監視装置のモードがバッテリー劣化判定モードのときに前記判定部により前記バッテリーが劣化状態にあると判定された場合、前記バッテリーが劣化状態にあることを示す情報を外部に送信する請求項１に記載のエレベーターのバッテリー診断装置。
【請求項３】
前記監視装置のモードがバッテリー劣化判定モードの際に、前記バッテリーの特性を測定する測定部、
を備え、
前記判定部は、前記測定部により測定された特性に基づいて前記バッテリーの状態を判定する請求項１または請求項２に記載のエレベーターのバッテリー診断装置。
【請求項４】
前記測定部が前記バッテリーの特性を測定した際に、当該特性の測定日時の情報と当該特性の情報とを対応付けて記憶する記憶部、
を備えた請求項３に記載のエレベーターのバッテリー診断装置。
【請求項５】
前記判定部は、前記測定部が前記バッテリーの特性を測定した際に、当該特性に基づいて前記バッテリーの状態を判定する際の基準を更新する請求項４に記載のエレベーターのバッテリー診断装置。
【発明の詳細な説明】
【技術分野】
【０００１】
この発明は、エレベーターのバッテリー診断装置に関する。
【背景技術】
【０００２】
特許文献１は、エレベーターの監視装置を開示する。当該監視装置においては、実負荷テストが実施される。実負荷テストにおいては、監視装置への電源が停電等により遮断されることを模擬し、監視装置は、バッテリーからの電力を利用して動作する。
【先行技術文献】
【特許文献】
【０００３】
【特許文献１】日本特開２０１３−２１６４６０号公報
【発明の概要】
【発明が解決しようとする課題】
【０００４】
しかしながら、特許文献１に記載の監視装置において実負荷テストを試みた際、バッテリーからの電力が不足している場合もある。この場合、監視装置が動作せず、監視装置の実負荷テストが実施されない。【０００５】
この発明は、上述の課題を解決するためになされた。この発明の目的は、監視装置の実負荷テストが無用に試みられることを防止できるエレベーターのバッテリー診断装置を提供することである。
【課題を解決するための手段】
【０００６】
この発明に係るエレベーターのバッテリー診断装置は、エレベーターの監視装置のモードが通常モードからバッテリー劣化判定モードに切り替えられた際に、前記監視装置のバックアップ用の電源として設けられたバッテリーの状態を判定する判定部と、前記監視装置のモードがバッテリー劣化判定モードのときに前記判定部により前記バッテリーが劣化状態にないと判定された場合、前記バッテリーからの電力を利用して前記監視装置の実負荷テストを実施する制御部と、を備えた。
【発明の効果】
【０００７】
この発明によれば、バッテリーが劣化状態にない場合、監視装置の実負荷テストが実施される。このため、監視装置の実負荷テストが無用に試みられることを防止できる。
【図面の簡単な説明】
【０００８】
【図１】実施の形態１におけるエレベーターのバッテリー診断装置が適用されるエレベーターシステムの構成図である。
【図２】実施の形態１におけるエレベーターのバッテリー診断装置としての監視装置のブロック図である。
【図３】実施の形態１におけるエレベーターのバッテリー診断装置としての監視装置の動作の概要を説明するためのフローチャートである。
【図４】実施の形態１におけるエレベーターのバッテリー診断装置としての監視装置の要部のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーターのバッテリー診断装置が適用されるエレベーターシステムの構成図である。
【００１１】
図１のエレベーターシステムにおいて、昇降路１は、図示されない建築物の各階を貫く。機械室２は、昇降路１の直上に設けられる。巻上機３は、機械室２の内部に設けられる。巻上機３は、綱車４を備える。そらせ車５は、機械室２の内部に設けられる。そらせ車５は、綱車４に隣接する。主ロープ６は、綱車４とそらせ車５とに巻き掛けられる。
【００１２】
かご７は、昇降路１の内部に設けられる。かご７は、主ロープ６の一側に吊るされる。おもり８は、昇降路１の内部に設けられる。おもり８は、主ロープ６の他側に吊るされる。
【００１３】
制御装置９は、機械室２の内部に設けられる。監視装置１０は、機械室２の内部に設けられる。監視装置１０は、制御装置９に電気的に接続される。バッテリー１１は、機械室２の内部に設けられる。例えば、バッテリー１１は、監視装置１０の内部に設けられてもよい。バッテリー１１は、監視装置１０に電気的に接続される。バッテリー１１は、監視装置１０のバックアップ用の電源として設けられる。例えば、バッテリー１１は、ニッカド電池である。例えば、バッテリー１１は、ニッケル水素電池である。
【００１４】
情報センター装置１２は、エレベーターが設けられた建築物から離れた位置に設けられる。例えば、情報センター装置１２は、エレベーターの管理会社に設けられる。
【００１５】
制御装置９は、エレベーターを全体的に制御する。例えば、エレベーターの運転モードが通常モードの際、制御装置９は、エレベーターの呼びに応じてかご７を走行させる。
【００１６】
監視装置１０は、エレベーターの状態を監視する。例えば、エレベーターの運転モードが通常モードの際にエレベーターの異常が発生した場合、監視装置１０は、当該異常を示す情報を情報センター装置１２に送信する。例えば、監視装置１０への電源が停電等により遮断された場合、監視装置１０は、当該電源が遮断されたことを示す情報を情報センター装置１２に送信する。この際、監視装置１０は、バッテリー１１からの電力を利用して動作する。
【００１７】
次に、図２を用いて、監視装置１０を説明する。
図２は実施の形態１におけるエレベーターのバッテリー診断装置としての監視装置のブロック図である。
【００１８】
図２に示されるように、監視装置１０は、切替部１３と監視部１４と測定部１５と記憶部１６と判定部１７と制御部１８とを備える。
【００１９】
切替部１３は、監視装置１０のモードを切り替え得るように設けられる。具体的には、切替部１３は、監視装置１０のモードを通常モードとバッテリー劣化判定モードとの間で切り替える。
【００２０】
監視部１４は、監視装置１０のモードに応じて監視対象を変更し得るように設けられる。例えば、監視装置１０のモードが通常モードである場合、監視部１４は、エレベーターの状態を監視する。例えば、監視装置１０のモードが劣化判定モードである場合、監視部１４は、バッテリー１１の状態を監視する。
【００２１】
測定部１５は、バッテリー１１の特性を測定し得るように設けられる。例えば、測定部１５は、バッテリー１１に０Ｈｚから数ＭＨｚの周波数の交流電圧を印加してバッテリー１１のインピーダンスを測定する。
【００２２】
記憶部１６は、測定部１５の測定結果を示す情報を記憶し得るように設けられる。例えば、測定部１５がバッテリー１１の特性を測定した際に、記憶部１６は、当該特性の測定日時の情報と当該特性の情報とを対応付けて記憶する。
【００２３】
判定部１７は、測定部１５の測定結果に基づいてバッテリー１１の状態を判定し得るように設けられる。例えば、判定部１７は、測定部１５の測定結果と記憶部１６に記憶された基準との比較結果に基づいてバッテリー１１の状態を判定する。判定部１７は、例えば測定日時から３ヶ月経過するとバッテリー１１の劣化が見込まれると判断される場合にバッテリー１１が劣化状態であると判定する。
【００２４】
制御部１８は、切替部１３の動作と測定部１５の動作とを制御し得るように設けられる。例えば、制御部１８は、予め設定された測定時間に切替部１３を動作することにより監視装置１０のモードを通常モードからバッテリー劣化診断モードに切り替える。例えば、監視装置１０のモードがバッテリー劣化判定モードのときに判定部１７によりバッテリー１１が劣化状態にないと判定された場合、制御部１８は、バッテリー１１からの電力を利用して監視装置１０の実負荷テストを実施する。
【００２５】
実負荷テストにおいては、監視装置１０への電源が停電等により遮断されることを模擬し、監視装置１０は、バッテリー１１からの電力を利用して動作する。この状態において、監視部１４は、公衆回線等を介して当該電源が遮断されたことを示す情報を情報センター装置１２に送信する。この際、監視部１４は、モードが通常モードであるときと区別し得る情報を送信する。情報センター装置１２は、当該電源が遮断されたことを示す情報を受信したことを示す確認信号を送信する。監視部１４は、当該確認信号を受信する。
【００２６】
次に、図３を用いて、監視装置１０の動作の概要を説明する。
図３は実施の形態１におけるエレベーターのバッテリー診断装置としての監視装置の動作の概要を説明するためのフローチャートである。
【００２７】
ステップＳ１では、監視装置１０は、運転モードを通常モードからバッテリー劣化診断モードに切り替える条件が成立したか否かを判定する。
【００２８】
ステップＳ１で運転モードを通常モードからバッテリー劣化診断モードに切り替える条件が成立していない場合、監視装置１０は、ステップＳ２の動作を行う。ステップＳ２では、監視装置１０は、エレベーターの状態を監視する。その後、監視装置１０は、ステップＳ１の動作を行う。
【００２９】
ステップＳ１で運転モードを通常モードからバッテリー劣化診断モードに切り替える条件が成立した場合、監視装置１０は、ステップＳ３の動作を行う。モードを切り替える条件は、例えば予め設定された測定時間であり、監視装置１０がエレベーターおよび電源の異常の検出もしくは通報を行っていないこと等である。ステップＳ３では、監視装置１０は、運転モードを通常モードからバッテリー劣化診断モードに切り替えた上でバッテリー１１が劣化状態にあるか否かを判定する。
【００３０】
ステップＳ３でバッテリー１１が劣化状態にない場合、監視装置１０は、ステップＳ４の動作を行う。ステップＳ４では、監視装置１０は、バッテリー１１からの電力を利用して監視装置１０の実負荷テストを実施する。その後、監視装置１０は、ステップＳ１の動作を行う。
【００３１】
ステップＳ３でバッテリー１１が劣化状態にある場合、監視装置１０は、ステップＳ５の動作を行う。ステップＳ５では、監視装置１０は、バッテリー１１が劣化状態にあることを示す情報を外部に送信する。その後、監視装置１０は、ステップＳ１の動作を行う。
【００３２】
以上で説明した実施の形態１によれば、バッテリー１１が劣化状態にない場合、監視装置１０の実負荷テストが実施される。このため、監視装置１０の実負荷テストが無用に試みられることを防止できる。
【００３３】
また、バッテリー１１が劣化状態にある場合、バッテリー１１が劣化状態にあることを示す信号が外部に送信される。このため、バッテリー１１を寿命に即した適切なタイミングで忘れずにバッテリー１１を交換することができる。その結果、バッテリー１１の保守作業の時間を短くすることができる。さらに、バッテリー１１を交換するためのコストを下げることができる。
【００３４】
また、バッテリー１１の状態は、バッテリー１１の特性に基づいて判定される。このため、バッテリー１１の劣化状態をより正確に判定することができる。
【００３５】
なお、バッテリー１１に負荷をかけた際の放電曲線をバッテリー１１の特性としてもよい。この場合も、バッテリー１１の劣化状態をより正確に判定することができる。
【００３６】
また、バッテリー１１の特性の測定日時の情報と当該特性の情報とが対応付けて記憶される。このため、バッテリー１１の特性の時間的な変化を把握することができる。その結果、バッテリー１１の寿命および交換時期を推定することができる。
【００３７】
なお、バッテリー１１の特性の測定日時の情報と当該特性の情報とを当該バッテリー１１が設けられた地域の情報と対応付けて記憶してもよい。この場合、類似した地域ごとにバッテリー１１の特性の時間的な変化を解析することができる。その結果、バッテリー１１が設けられた環境に応じて、バッテリー１１の状態を判定する際の基準を設定することができる。
【００３８】
また、測定部１５に測定された特性に基づいて、バッテリー１１の状態を判定する際の基準を更新してもよい。例えば、バッテリー１１のインピーダンスが測定される場合、経年変化に対するインピーダンスの曲線が基準とされる。当該基準を測定部１５の測定結果に基づいて更新すれば、バッテリー１１の劣化状態をより正確に判定することができる。
【００３９】
また、切替部１３と監視部１４と測定部１５と記憶部１６と判定部１７と制御部１８との機能を備えたバッテリー診断装置を監視装置１０と別に設けてもよい。この場合も、監視装置１０の実負荷テストが無用に試みられることを防止できる。
【００４０】
また、物理的なスイッチを用いて切替部１３の機能を実現してもよい。この場合、作業員が保守作業を行う際に、監視装置１０の運転モードを通常モードとバッテリー劣化診断モードとの間で切り替えることができる。
【００４１】
また、情報センター装置１２からの診断指令情報に基づいて監視装置１０の運転モードを切り替えてもよい。この場合、必要に応じて、バッテリー１１の劣化状態を細かく判定することができる。
【００４２】
また、実施の形態１の監視装置１０を機械室２のないエレベーターに適用してもよい。この場合も、監視装置１０の実負荷テストが無用に試みられることを防止できる。
【００４３】
次に、図４を用いて、監視装置１０の要部の例を説明する。
図４は実施の形態１におけるエレベーターのバッテリー診断装置としての監視装置の要部のハードウェア構成図である。
【００４４】
監視装置１０の要部の各機能は、処理回路により実現し得る。例えば、処理回路は、少なくとも１つのプロセッサ１９ａと少なくとも１つのメモリ１９ｂとを備える。例えば、処理回路は、少なくとも１つの専用のハードウェア２０を備える。
【００４５】
処理回路が少なくとも１つのプロセッサ１９ａと少なくとも１つのメモリ１９ｂとを備える場合、監視装置１０の要部の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１９ｂに格納される。少なくとも１つのプロセッサ１９ａは、少なくとも１つのメモリ１９ｂに記憶されたプログラムを読み出して実行することにより、監視装置１０の要部の各機能を実現する。少なくとも１つのプロセッサ１９ａは、中央処理装置、処理装置、演算装置、マイクロプロセッサ、マイクロコンピュータ、ＤＳＰともいう。例えば、少なくとも１つのメモリ１９ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４６】
処理回路が少なくとも１つの専用のハードウェア２０を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、監視装置１０の要部の各機能は、それぞれ処理回路で実現される。例えば、監視装置１０の要部の各機能は、まとめて処理回路で実現される。
【００４７】
監視装置１０の要部の各機能について、一部を専用のハードウェア２０で実現し、他部をソフトウェアまたはファームウェアで実現してもよい。例えば、判定部１７の機能については専用のハードウェア２０としての処理回路で実現し、判定部１７の機能以外の機能については少なくとも１つのプロセッサ１９ａが少なくとも１つのメモリ１９ｂに格納されたプログラムを読み出して実行することにより実現してもよい。
【００４８】
このように、処理回路は、ハードウェア２０、ソフトウェア、ファームウェア、またはこれらの組み合わせで監視装置１０の要部の各機能を実現する。
【００４９】
図示されないが、制御装置９の要部の各機能も、監視装置１０の要部の各機能を実現する処理回路と同等の処理回路で実現される。情報センター装置１２の要部の各機能も、監視装置１０の要部の各機能を実現する処理回路と同等の処理回路で実現される。
【産業上の利用可能性】
【００５０】
以上のように、この発明に係るエレベーターのバッテリー診断装置は、監視装置の実負荷テストが無用に試みられることを防止するシステムに利用できる。
【符号の説明】
【００５１】
１  昇降路、  ２  機械室、  ３  巻上機、  ４  綱車、  ５  そらせ車、  ６  主ロープ、  ７  かご、  ８  おもり、  ９  制御装置、  １０  監視装置、  １１  バッテリー、  １２  情報センター装置、  １３  切替部、  １４  監視部、  １５  測定部、  １６  記憶部、  １７  判定部、  １８  制御部、  １９ａ  プロセッサ、  １９ｂ  メモリ、  ２０  ハードウェア
【図１】
2019198234.tif 000003
【図２】
2019198234.tif 000004
【図３】
2019198234.tif 000005
【図４】
2019198234.tif 000006
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
建築物に設けられたエレベーターの監視装置のモードが通常モードからバッテリー劣化判定モードに切り替えられた際に、前記監視装置のバックアップ用の電源として設けられたバッテリーの状態を判定する判定部と、
前記監視装置のモードがバッテリー劣化判定モードのときに前記判定部により前記バッテリーが劣化状態にないと判定された場合、前記バッテリーからの電力を利用して前記監視装置の実負荷テストを実施する制御部と、
を備え、
前記制御部は、実負荷テストとして通常モードとは区別し得る情報を外部に送信するエレベーターのバッテリー診断装置。
【請求項２】
前記制御部は、前記監視装置のモードがバッテリー劣化判定モードのときに前記判定部により前記バッテリーが劣化状態にあると判定された場合、前記バッテリーが劣化状態にあることを示す情報を外部に送信する請求項１に記載のエレベーターのバッテリー診断装置。
【請求項３】
前記監視装置のモードがバッテリー劣化判定モードの際に、前記バッテリーの特性を測定する測定部、
を備え、
前記判定部は、前記測定部により測定された特性に基づいて前記バッテリーの状態を判定する請求項１または請求項２に記載のエレベーターのバッテリー診断装置。
【請求項４】
前記測定部が前記バッテリーの特性を測定した際に、当該特性の測定日時の情報と当該特性の情報とを対応付けて記憶する記憶部、
を備えた請求項３に記載のエレベーターのバッテリー診断装置。
【請求項５】
前記測定部が前記バッテリーの特性を測定した際に、当該特性の測定日時の情報と当該特性の情報と前記バッテリーが設けられた地域の情報とを対応付けて記憶する記憶部、
を備えた請求項３に記載のエレベーターのバッテリー診断装置。
【請求項６】
前記判定部は、前記測定部が前記バッテリーの特性を測定した際に、当該特性に基づいて前記バッテリーの状態を判定する際の基準を更新する請求項４または請求項５に記載のエレベーターのバッテリー診断装置。
【手続補正２】
【補正対象書類名】明細書
【補正対象項目名】０００６
【補正方法】変更
【補正の内容】
【０００６】
この発明に係るエレベーターのバッテリー診断装置は、建築物に設けられたエレベーターの監視装置のモードが通常モードからバッテリー劣化判定モードに切り替えられた際に、前記監視装置のバックアップ用の電源として設けられたバッテリーの状態を判定する判定部と、前記監視装置のモードがバッテリー劣化判定モードのときに前記判定部により前記バッテリーが劣化状態にないと判定された場合、前記バッテリーからの電力を利用して前記監視装置の実負荷テストを実施する制御部と、を備え、前記制御部は、実負荷テストとして通常モードとは区別し得る情報を外部に送信する。
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
建築物に設けられたエレベーターの監視装置のモードが通常モードからバッテリー劣化判定モードに切り替えられた際に、前記監視装置のバックアップ用の電源として設けられたバッテリーの状態を判定する判定部と、
前記監視装置のモードがバッテリー劣化判定モードのときに前記判定部により前記バッテリーが劣化状態にないと判定された場合、前記バッテリーからの電力を利用した前記監視装置の実負荷テストとして、前記バッテリーの劣化の状態を判定するテストとは異なるテストを実施する制御部と、
を備え、
前記制御部は、実負荷テストとして通常モードとは区別し得る情報を外部に送信するエレベーターのバッテリー診断装置。
【請求項２】
前記制御部は、前記監視装置のモードがバッテリー劣化判定モードのときに前記判定部により前記バッテリーが劣化状態にあると判定された場合、前記バッテリーが劣化状態にあることを示す情報を外部に送信する請求項１に記載のエレベーターのバッテリー診断装置。
【請求項３】
前記監視装置のモードがバッテリー劣化判定モードの際に、前記バッテリーの特性を測定する測定部、
を備え、
前記判定部は、前記測定部により測定された特性に基づいて前記バッテリーの状態を判定する請求項１または請求項２に記載のエレベーターのバッテリー診断装置。
【請求項４】
前記測定部が前記バッテリーの特性を測定した際に、当該特性の測定日時の情報と当該特性の情報とを対応付けて記憶する記憶部、
を備えた請求項３に記載のエレベーターのバッテリー診断装置。
【請求項５】
前記測定部が前記バッテリーの特性を測定した際に、当該特性の測定日時の情報と当該特性の情報と前記バッテリーが設けられた地域の情報とを対応付けて記憶する記憶部、
を備えた請求項３に記載のエレベーターのバッテリー診断装置。
【請求項６】
前記判定部は、前記測定部が前記バッテリーの特性を測定した際に、当該特性に基づいて前記バッテリーの状態を判定する際の基準を更新する請求項４または請求項５に記載のエレベーターのバッテリー診断装置。
【手続補正２】
【補正対象書類名】明細書
【補正対象項目名】０００６
【補正方法】変更
【補正の内容】
【０００６】
この発明に係るエレベーターのバッテリー診断装置は、建築物に設けられたエレベーターの監視装置のモードが通常モードからバッテリー劣化判定モードに切り替えられた際に、前記監視装置のバックアップ用の電源として設けられたバッテリーの状態を判定する判定部と、前記監視装置のモードがバッテリー劣化判定モードのときに前記判定部により前記バッテリーが劣化状態にないと判定された場合、前記バッテリーからの電力を利用した前記監視装置の実負荷テストとして、前記バッテリーの劣化の状態を判定するテストとは異なるテストを実施する制御部と、を備え、前記制御部は、実負荷テストとして通常モードとは区別し得る情報を外部に送信する。
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
建築物に設けられたエレベーターの監視装置のモードが通常モードからバッテリー劣化判定モードに切り替えられた際に、前記監視装置のバックアップ用の電源として設けられたバッテリーの状態を判定する判定部と、
前記監視装置のモードがバッテリー劣化判定モードのときに前記判定部により前記バッテリーが劣化状態にないと判定された場合、前記バッテリーからの電力を利用した前記監視装置の実負荷テストとして、前記監視装置への電源が遮断されることを模擬し、前記監視装置が前記バッテリーからの電力を利用して動作するテストを実施する制御部と、
を備え、
前記制御部は、前記監視装置への電源が遮断されたことを示す情報として、モードが通常モードであるときと区別し得る情報を外部に送信するエレベーターのバッテリー診断装置。
【請求項２】
前記制御部は、前記監視装置のモードがバッテリー劣化判定モードのときに前記判定部により前記バッテリーが劣化状態にあると判定された場合、前記バッテリーが劣化状態にあることを示す情報を外部に送信する請求項１に記載のエレベーターのバッテリー診断装置。
【請求項３】
前記監視装置のモードがバッテリー劣化判定モードの際に、前記バッテリーの特性を測定する測定部、
を備え、
前記判定部は、前記測定部により測定された特性に基づいて前記バッテリーの状態を判定する請求項１または請求項２に記載のエレベーターのバッテリー診断装置。
【請求項４】
前記測定部が前記バッテリーの特性を測定した際に、当該特性の測定日時の情報と当該特性の情報とを対応付けて記憶する記憶部、
を備えた請求項３に記載のエレベーターのバッテリー診断装置。
【請求項５】
前記測定部が前記バッテリーの特性を測定した際に、当該特性の測定日時の情報と当該特性の情報と前記バッテリーが設けられた地域の情報とを対応付けて記憶する記憶部、
を備えた請求項３に記載のエレベーターのバッテリー診断装置。
【請求項６】
前記判定部は、前記測定部が前記バッテリーの特性を測定した際に、当該特性に基づいて前記バッテリーの状態を判定する際の基準を更新する請求項４または請求項５に記載のエレベーターのバッテリー診断装置。
【手続補正２】
【補正対象書類名】明細書
【補正対象項目名】０００６
【補正方法】変更
【補正の内容】
【０００６】
この発明に係るエレベーターのバッテリー診断装置は、建築物に設けられたエレベーターの監視装置のモードが通常モードからバッテリー劣化判定モードに切り替えられた際に、前記監視装置のバックアップ用の電源として設けられたバッテリーの状態を判定する判定部と、前記監視装置のモードがバッテリー劣化判定モードのときに前記判定部により前記バッテリーが劣化状態にないと判定された場合、前記バッテリーからの電力を利用した前記監視装置の実負荷テストとして、前記監視装置への電源が遮断されることを模擬し、前記監視装置が前記バッテリーからの電力を利用して動作するテストを実施する制御部と、を備え、前記制御部は、前記監視装置への電源が遮断されたことを示す情報として、モードが通常モードであるときと区別し得る情報を外部に送信する。
【国際調査報告】
2019198234.tif 000007
2019198234.tif 000008
2019198234.tif 000009
2019198234.tif 000010